(57)【特許請求の範囲】
【請求項１】
内部に室内と室外とを連通させる換気通路が形成された装置本体と、
この装置本体に上記換気通路を閉じる閉位置と上記換気通路を開く開位置との間を変位可能に設けられた作動部材と、
上記装置本体に第１の位置と第２の位置との間を移動可能に設けられ、上記第１の位置から上記第２の位置まで移動すると上記作動部材が上記閉位置から上記開位置まで変位し、上記第２の位置から上記第１の位置まで移動すると、上記作動部材が上記開位置から上記閉位置まで変位するように、上記作動部材に連結された可動部材と、
この可動部材を上記第１の位置から上記第２の位置へ向かう第１の方向と上記第２の位置から上記第１の位置へ向かう第２の方向とのいずれか一方の方向へ付勢し、その付勢力が温度に応じて変化する形状記憶合金製の第１のばねと、
上記可動部材を上記第１の方向と上記第２の方向とのいずれか他方の方向へ付勢する第２のばねと、
上記装置本体に自動換気モード位置と固定換気モード位置との間を変位可能に設けられた操作部材とを備え、
上記操作部材は、上記自動換気モード位置に位置しているときには上記可動部材が上記第１の位置と上記第２の位置との間を移動することを許容し、上記固定換気モード位置に位置しているときには上記可動部材を上記第１の位置と上記第２の位置とのいずれか一方の位置に位置固定する換気装置において、
上記装置本体に上記室内に向かって開放された収容部が形成され、この収容部にケーシングが室内から着脱可能に装着され、
このケーシングの内部に、上記可動部材、上記第１のばね、上記第２のばね及び上記操作部材が設けられ、
上記操作部材は、上記ケーシングから室内に向かって突出する操作突起を有し、上記自動換気モード位置と上記固定換気モード位置で上記ケーシングに維持され、
上記装置本体はその室内側の端面より室外方向に後退した位置に隔壁を有し、この隔壁には上記換気通路の一部となる換気孔が形成されるとともに孔が形成され、
上記収容部は、上記隔壁から室内側に開放された上記装置本体の開口部の一部と、上記隔壁の上記孔を含み、
上記ケーシングは、上記隔壁の上記孔に挿入され、上記隔壁から室内側および室外側に突出しており、
上記可動部材の一部が上記ケーシングから上記装置本体の上記開口部の他の部分に突出させられ、上記ケーシングの上記装置本体への室内からの装着時には、上記ケーシングから上記装置本体の開口部の上記他の部分に突出した上記可動部材の一部が上記作動部材に着脱可能に連結されることを特徴とする換気装置。
【請求項２】
上記ケーシングの内部が、室内と室外とのいずれか一方に対して連通され、他方に対して遮断されていることを特徴とする請求項１に記載の換気装置。
【請求項３】
上記装置本体および開口部が直線的に細長く延び、上記収容部を構成する上記開口部の上記一部が、その長手方向の一端部を占め、上記可動部材の上記一部が上記装置本体の長手方向に延びて上記開口部の上記他の部分へと突出し、
上記可動部材には上記装置本体の長手方向に延びる長穴が形成され、この長穴に上記操作部材が挿入されており、
上記操作部材は、上記固定換気モード位置において上記長穴の一端に当たり、上記可動部材を上記第１の位置及び第２の位置のいずれか一方に位置させ、上記可動部材は当該一方の位置において上記ケーシングに当たることを特徴とする請求項１または２に記載の換気装置。
【請求項４】
上記固定換気モード位置は固定閉モード位置と固定開モード位置の２つの位置を含み、上記操作部材は、上記固定閉モード位置で上記可動部材の長穴の一端に当たり、上記固定開モード位置で上記長穴の他端に当たり、上記可動部材は、上記固定閉モード位置に対応する上記第１の位置および上記固定開モード位置に対応する上記第２の位置で、上記ケーシングの長手方向両端の内端面にそれぞれ当たることを特徴とする請求項３に記載の換気装置。
【請求項５】
上記開口部の上記他の部分は、上記装置本体に着脱可能に設けられたフィルタユニットにより覆われていることを特徴とする請求項３または４に記載の換気装置。
【請求項６】
上記ケーシングは弾性変形可能な係合片を有し、これら係合片が上記装置本体に形成された係合部に弾性的に係合されることにより、上記ケーシングが上記装置本体に取り付けられることを特徴とする請求項１〜５のいずれかに記載の換気装置。
【発明の詳細な説明】
【技術分野】
【０００１】
この発明は、自動換気モードと固定換気モードとに切り換え可能な換気装置に関する。
【背景技術】
【０００２】
一般に、この種の換気装置は、下記特許文献１に記載されているように、内部に室内と室外とを連通する換気通路が形成された装置本体を有している。装置本体の内部には、作動部材、可動部材、第１ばね及び第２ばねが設けられている。装置本体の室内に臨む前面部には、操作部材が設けられている。
【０００３】
操作部材を自動換気モード位置に位置させると、可動部材が第１及び第２ばねにより室内又は室外の温度に応じて移動させられ、可動部材に連携された作動部材が開位置と閉位置との間のいずれかの位置に変位させられる。これにより、換気装置が開状態と閉状態との間のいずれかの状態に自動的に調節される。
【０００４】
操作部材を固定換気モードに位置させると、可動部材が位置固定され、作動部材が開位置又は閉位置に位置固定される。これにより、換気装置が開状態又は閉状態に維持される。
【先行技術文献】
【特許文献】
【０００５】
【特許文献１】特開２００７−２３２２５３号公報
【発明の概要】
【発明が解決しようとする課題】
【０００６】
上記従来の換気装置においては、第１ばね又は第２ばねが経時的に劣化したり、操作部材が摩耗してガタが生じたりすることがある。そのような場合には、劣化ないしは摩耗した部品が新たな部品と交換される。ところが、部品を交換するためには、換気装置を家屋の壁等から取り外さなければならないのみならず、部品の交換のために換気装置を分解しなければならず、部品の交換に多大の手間を要するという問題があった。
【課題を解決するための手段】
【０００７】
この発明は、上記の問題を解決するためになされたもので、内部に室内と室外とを連通させる換気通路が形成された装置本体と、この装置本体に上記換気通路を閉じる閉位置と上記換気通路を開く開位置との間を変位可能に設けられた作動部材と、上記装置本体に第１の位置と第２の位置との間を移動可能に設けられ、上記第１の位置から上記第２の位置まで移動すると上記作動部材が上記閉位置から上記開位置まで変位し、上記第２の位置から上記第１の位置まで移動すると、上記作動部材が上記開位置から上記閉位置まで変位するように、上記作動部材に連結された可動部材と、この可動部材を上記第１の位置から上記第２の位置へ向かう第１の方向と上記第２の位置から上記第１の位置へ向かう第２の方向とのいずれか一方の方向へ付勢し、その付勢力が温度に応じて変化する形状記憶合金製の第１のばねと、上記可動部材を上記第１の方向と上記第２の方向とのいずれか他方の方向へ付勢する第２のばねと、上記装置本体に自動換気モード位置と固定換気モード位置との間を変位可能に設けられた操作部材とを備え、上記操作部材は、上記自動換気モード位置に位置しているときには上記可動部材が上記第１の位置と上記第２の位置との間を移動することを許容し、上記固定換気モード位置に位置しているときには上記可動部材を上記第１の位置と上記第２の位置とのいずれか一方の位置に位置固定する換気装置において、上記装置本体に上記室内に向かって開放された収容部が形成され、この収容部にケーシングが室内から着脱可能に装着され、このケーシングの内部に、上記可動部材、上記第１のばね、上記第２のばね及び上記操作部材が設けられ、上記可動部材の一部が上記ケーシングから上記装置本体の内部に突出させられ、上記ケーシングの上記装置本体への室内からの装着時には、上記ケーシングから上記装置本体の内部に突出した上記可動部材の一部が上記作動部材に着脱可能に連結されることを特徴としている。
この場合、上記ケーシングの内部が、室内と室外とのいずれか一方に対して連通され、他方に対して遮断されていることが望ましい。
【発明の効果】
【０００８】
上記特徴構成を有するこの発明によれば、経時的に劣化する第１及び第２ばね、並びに摩耗する操作部材がケーシングに組み込まれているから、それらの交換時には、ケーシングを装置本体から取り外すだけでよく、装置本体を家屋の壁部から取り外したり、分解したりする必要がない。したがって、換気装置の保守、点検に要する手間を大幅に軽減することができる。また、可動部材のケーシングから突出した一部を作動部材に対して室内から挿脱可能に係合させることができるから、ケーシングを装置本体の収容部に装着すると同時に可動部材を作動部材に係合させることができる。これにより、ケーシング内に第１ばね、第２ばね、可動部材及び操作部材を組み込んでユニット化することができた。
【図面の簡単な説明】
【０００９】
【図１】図１は、この発明に係る換気装置の第１実施の形態が採用された二重窓の一部省略縦断面図である。
【図２】図２は、この発明に係る換気装置の第１実施の形態を示す図１のＸ矢視図である。
【図３】図３は、同実施の形態を、操作部材が自動換気モード位置に位置し、かつ作動板が閉位置と開位置との中間の位置に位置した状態で示す図２のＸ−Ｘ線に沿う断面図である。
【図４】図４は、同実施の形態を、操作部材が自動換気モード位置に位置し、かつ作動板が閉位置に位置した状態で示す図３と同様の断面図である。
【図５】図５は、同実施の形態を、操作部材が自動換気モード位置に位置し、かつ作動板が開位置に位置した状態で示す図３と同様の断面図である。
【図６】図６は、同実施の形態を、操作部材が固定開モード位置に位置した状態で示す図３と同様の断面図である。
【図７】図７は、同実施の形態を、操作部材が固定閉モード位置に位置した状態で示す図３と同様の断面図である。
【図８】図８は、図３のＸ−Ｘ線に沿う断面図である。
【図９】図９は、図３のＹ−Ｙ線に沿う断面図である。
【図１０】図１０は、同実施の形態の一部を省略して示す分解斜視図である。
【図１１】図１１は、同実施の形態に用いられている制御ユニットを示す図であって、図１１（Ａ）はその正面図、図１１（Ｂ）はその平面図、図１１（Ｃ）はその左側面図、図１１（Ｄ）はその右側面図、図１１（Ｅ）は図１１（Ｂ）のＥ−Ｅ線に沿う断面図である。
【図１２】図１２は、フィルタユニットを装置本体から取り外した状態で示す図８と同様の断面図である。
【図１３】図１３は、フィルタユニット及び制御ユニットを装置本体から取り外した状態で示す図８と同様の断面図である。
【図１４】図１４は、同実施の形態の装置本体を示す一部省略正面図である。である。
【図１５】図１５は、同実施の形態の装置本体に制御ユニットを装着する方法を説明するための図８と同様の断面図である。
【図１６】この発明に係る換気装置の第２実施の形態を示す図３と同様の断面図である。
【図１７】同実施の形態を示す図４と同様の断面図である。
【図１８】同実施の形態を示す図５と同様の断面図である。
【図１９】図１９は、図１６のＸ−Ｘ線に沿う断面図である。
【図２０】図２０は、図１７のＸ−Ｘ線に沿う断面図である。
【図２１】図２１は、図１８のＸ−Ｘ線に沿う断面図である。
【発明を実施するための形態】
【００１０】
以下、この発明を実施するための最良の形態を、図面を参照して説明する。
図１〜図１５は、この発明の第１実施の形態を示す。この実施の形態は、図１に示すように、この発明に係る換気装置１を家屋の二重窓に取り付けたものである。そこで、まず家屋の二重窓について説明すると、家屋の側壁Ｗには、開口部Ｗ１が設けられている。開口部Ｗ１の室外Ｏ側の端部には、引き違い障子Ｓ１，Ｓ２が設けられ、さらにその外側には網戸Ｒが設けられている。一方、開口部Ｗ１の室内Ｉ側の端部には、左右一対の縦框（図示せず）が開口部の左右両端部にそれぞれ設けられている。この一対の縦框の上端部間及び下端部間には、上框Ｋ１及び下框Ｋ２がそれぞれ設けられている。上框Ｋ１の下面には、この発明に係る換気装置１が取り付けられている。換気装置１は、その長手方向を左右方向に向けて水平に配置されており、一方の縦框から他方の縦框まで延びている。左右一対の縦框、換気装置１及び下框Ｋ２によって囲まれる四角形の空間には、引き違い障子Ｓ３，Ｓ４が設けられている。なお、換気装置１は、その長手方向を水平方向に向けて配置することなく、その長手を上下方向に向けて配置してもよい。
【００１１】
引き違い障子Ｓ１，Ｓ２と引き違い障子Ｓ３，Ｓ４とは、室内外方向へ互いに所定距離だけ離間しており、それらの間には空間Ｓが形成されている。換気装置１は、空間Ｓと室内Ｉとの間の空気を換気するものである。ただし、空間Ｓは、換気装置１とは異なる他の換気装置（図示せず）によって室外Ｏと連通している。したがって、ここでは、空間Ｓも室外の一部とみなされ、換気装置１は、室内Ｉと室外Ｏと空間Ｓを介して換気する。換気装置１が通常の一重の窓に設けられる場合、換気装置１は、室内Ｉと室外Ｏとを直接に換気する。なお、空間Ｓと室外Ｏとの間を換気する他の換気装置は、例えば障子Ｓ１又はＳ２に設けられ、あるいは開口部Ｗ１の内面の左右いずれかの端部に沿って上下に設けられている。
【００１２】
次に、この発明に係る換気装置１について説明する。換気装置１は、図２〜図１０に示すように、装置本体２、作動部材３、制御ユニット４を主な構成要素としている。
【００１３】
装置本体２は、本体部２１及び二つの端板２２，２２を有している。本体部２１は、アルミニウム製の複数の型材を組み合わせてなるものであり、断面略長方形の角筒状に形成されている。本体部２１の長手方向の両端開口部は、端板２２，２２によって閉じられている。このようにして装置本体２が構成されている。
【００１４】
装置本体２は、その長手方向を左右方向に向けて配置されている。装置本体２の左右の両端部は、左右の縦框にそれぞれ支持され、上端部は、上框Ｋ１に支持されている。装置本体２の左右の両端面及び上面には、弾性材からなるシール部材２３が設けられている。このシール部材２３が左右の縦框及び上框Ｋ１に押し付けられることにより、装置本体２と左右の縦框及び上框Ｋ１との間が気密にシールされている。
【００１５】
図２〜図７、図１２及び図１３に示すように、本体部２１の空間Ｓに臨む外壁部２１ａには、これを室内外方向に貫通する多数の外側換気孔２１ｂが形成されている。各換気孔２１ｂは、上下に長い長孔として形成されており、左右方向へ一定の間隔毎に配置されている。本体部２１の室内Ｉに臨む部分には、開口部２１ｃが形成されている。開口部２１ｃは、本体部２１の全長にわたって形成されている。本体部２１の内部には、隔壁２１ｄが形成されている。この隔壁２１ｄにより、本体部２１の内部が、室外Ｏ側の部分と室内Ｉ側の部分とに区分されている。隔壁２１ｄには、これを室内外方向に貫通する多数の内側換気孔２１ｅが形成されている。各換気孔２１ｅは、上下に長い長孔として形成されており、左右方向へ一定の間隔毎に配置されている。外側換気孔２１ｂ、本体部２１の内部空間、内側換気孔２１ｄ及び開口部２１ｃにより、空間Ｓ（室外Ｏ）と室内Ｉとが連通されている。これから明らかなように、外側換気孔２１ｂ、本体部２１の内部空間、内側換気孔２１ｄ及び開口部２１ｃにより、室外Ｏと室内Ｉとを連通する換気通路２４が構成されている。
【００１６】
装置本体２の内部には、作動板（作動部材）３が設けられている。作動板３は、隔壁２１ｄの室内Ｉに臨む面に接触させられている。しかも、作動板３は、装置本体２に左右方向へ移動可能に設けられている。作動板３の移動範囲は、図４及び図６に示す閉位置と、図５及び図７に示す開位置との間に規制されている。作動板３の移動範囲を閉位置と開位置との間に規制する構成については後述する。
【００１７】
作動板３には、これを室内外方向に貫通する多数の貫通孔３１が形成されている。各貫通孔３１は、上下に長い長孔として形成されており、左右方向へ一定の間隔毎に配置されている。図４及び図６に示すように、各貫通孔３１は、作動板３が閉位置に位置すると、換気孔２１ｅに対して左右方向に離間する。すると、貫通孔３１，３１間に位置する作動板３の実質部が換気孔２１ｅを室内Ｉ側から覆う。この結果、換気通路２４が閉じられ、換気装置１が閉状態になる。換気装置１の閉時には、空間Ｓと室内Ｉとの間が換気装置１によって遮断される。その一方、作動板３が開位置に位置すると、貫通孔３１全体が換気孔２１ｅと対向する。この結果、換気通路２４が開かれ、換気装置１が開状態になる。換気装置１の開時には、空間Ｓと室内Ｉとが換気装置１の換気通路２４を介して連通する。図３に示すように、作動板３が閉位置と開位置との間の中間に位置しているときには、貫通孔３１のうちの左右の一部だけが換気孔２１ｅと対向して連通する。この結果、換気通路２４が半開状態になり、ひいては換気装置１が半開状態になる。半開時の換気通路２４の開度は、作動板３の左右方向の位置に応じて変化する。
【００１８】
図１４及び図１５に示すように、装置本体２の図３〜図７における右端部には、収容部２５が形成されている。すなわち、隔壁２１ｄには、その右端から所定の長さの部分がその全幅（上下方向の全幅）にわたって切り欠かれることによって孔２１ｆが形成されている。この孔２１ｆと、これに隣接する開口部２１ｃの右端部とによって収容部２５が構成されている。収容部２５に臨む装置本体２の右端面には、第１係合部２１ｇが形成されている。隔壁２１ｄの孔２１ｆに臨む右端部が第２係合部２１ｈになっている。
【００１９】
収容部２５には、制御ユニット４が室内Ｉ側から挿脱可能に収容されている。制御ユニット４は、作動板３の位置を制御するためのものであり、制御ユニット４を自動換気モードにすると、作動板３が室内Ｉの温度に応じて自動的に位置制御される。また、制御ユニット４を固定閉モード（固定換気モード）にすると、作動板３が閉位置に位置固定され、換気装置１が閉状態に維持される。制御ユニット１０を固定開モード（固定換気モード）にすると、作動板３が開位置に位置固定され、換気装置１が開状態に維持される。なお、収容部２５が装置本体２の右端部に形成されていることに対応して制御ユニット４が装置本体２の右端部に設けられているが、収容部２５及び制御ユニット４は、装置本体２の左端部に設けてもよく、あるいは中央部に設けてもよい。
【００２０】
上記の機能を有する制御ユニット４について説明すると、制御ユニット４は、ケーシング４１を有している。ケーシング４１は、硬質樹脂からなる二つの部材をビス、その他の固定手段によって一体的に固定することにより、中空の直方体状に形成されている。二つの部材は、固定後にも分離可能であり、二つの部材を互いに分離することによってケーシング４１内に後述する可動部材４２、第１のばね４３、第２のばね４４、受け部材４６及び操作部材４７を収容し、あるいはそれらを交換することができる。
【００２１】
ケーシング４１は、その長手方向を水平方向に向けて配置されており、収容部２５に室内Ｉから挿脱可能に挿入されている。勿論、収容部２５の孔２１ｆには、ケーシング４１の室外側の端部が室内Ｉ側から挿脱可能に挿通されている。ここで、ケーシング４１の孔２１ｆへの挿通部分は、孔２１ｆと同一の断面形状及び寸法を有している。したがって、収容部２５にケーシング４１を挿入すると孔２１ｆが閉じられる。よって、制御ユニット４が収容部２５に収容された状態では、室内Ｉと空間Ｓ（室外Ｏ）とが孔２１ｆを介して連通することがない。室内Ｉと室外Ｏとは、隔壁２１ｄの内側換気孔２１ｅを介してのみ連通する。
【００２２】
図３〜図７及び図１１に示すように、ケーシング４１の左右の両端部には、第１及び第２係合片４１ａ，４１ｂがそれぞれ形成されている。第１及び第２係合片４１ａ，４１ｂは、弾性変形可能であり、ケーシング４１を室内Ｉから収容部２５に挿入すると、第１及び第２係合部２１ｇ，２１ｈにそれぞれ突き当たる。そして、ケーシング４１の挿入に伴って弾性変形する。ケーシング４１を収容部２５に所定の装着位置まで挿入すると、第１及び第２係合片４１ａ，４１ｂが弾性的に復帰変形し、第１及び第２係合部２１ｇ，２１ｈとそれぞれ係合する。これにより、ケーシング４１が収容部２５に所定の大きさの力で位置固定状態で装着される。勿論、ケーシング４１に所定の大きさ以上の力を室内Ｉ側に向かって作用させると、第１及び第２係合片４１ａ，４１ｂが弾性変形し、第１及び第２係合片４１ａ，４１ｂと第１及び第２係合部２１ｇ，２１ｈとの各係合状態が解除する。よって、ケーシング４１を収容部２５から室内Ｉに向かって抜き出すことができる。
【００２３】
図３〜図７に示すように、ケーシング４１の内部には、可動部材４２が設けられている。可動部材４２は、棒状をなすものであり、その長手方向をケーシング４１の長手方向と同一方向に向けて配置されている。可動部材４２は、ケーシング４１に対しその長手方向（左右方向）へ移動可能である。可動部材４２の移動範囲は、図４及び図６に示す第１の位置と、図５及び図７に示す第２の位置との間に規制されている。可動部材４２の第１の位置は、図４及び図６に示すように、可動部材４２の右端面がケーシング４１の内側の右端面に突き当たることによって定められている。可動部材４２の第２の位置は、可動部材４２の左側の端部に形成された段部４２ａがケーシング４１の内側の左端面に突き当たることによって定められている。
【００２４】
可動部材４２の移動範囲は、他の方法によって規制してもよい。例えば、ケーシング４１に軸体を位置固定して設ける一方、可動部材４２にその長手方向に延びる長孔を形成し、この長孔に軸体を長孔の長手方向へ相対移動可能に挿入する。このようにすれば、軸体が長孔の一端部に突き当たったときの可動部材４２の位置を第１の位置とし、軸体が長孔の他端部に突き当たったときの可動部材４２の位置を第２の位置とすることができる。
【００２５】
可動部材４２の左端部は、ケーシング４１の左端壁を左右方向へ移動可能に貫通して装置本体２の内部に突出している。ケーシング４１から突出した可動部材４２の左端部（ケーシング４１から突出した可動部材４２の一部）４２ｂは、作動板３の室内Ｉ側を向く面に近接して対向している。左端部４２ｂの作動板３と対向する面の左端部には、作動板３に向かって突出する突出部４２ｃが形成されている。突出部４２ｃは、作動板３に形成された多数の貫通孔３１のうちの最も右側に配置された貫通孔３１に室内方向へ挿脱可能に、かつ左右方向へ移動不能に挿入されている。突出部４２ｃは、必ずしも最も右側の貫通孔３１に挿入する必要がなく、右から２番目以降の貫通孔３１に挿入してもよい。あるいは、貫通孔３１とは異なる孔を係合孔として形成し、この係合孔に突出部４２Ｃを挿脱可能に、かつ左右方向へ移動不能に挿入してもよい。突出部４２ｃが貫通孔３１に左右方向へ移動不能に挿入されているので、可動部材４２が左右方向へ移動すると、作動板３が可動部材４２と一緒に左右方向へ移動する。可動部材４２が第１の位置に位置すると、作動板３が閉位置に位置し、可動部材４２が第２の位置に位置すると、作動板３が開位置に位置する。これにより、作動板３の閉位置及び開位置が定められている。
【００２６】
突出部４２ｃは、可動部材４２と作動板３とを互いに対応する位置に位置させておくことにより、ケーシング４１を収容部２５に室内Ｉ側から室外Ｏ側に向かって挿入するときに、それと同時に貫通孔３１に挿入することができる。例えば、可動部材４２を第１の位置に位置させるとともに、作動板３を閉位置に位置させる。あるいは、可動部材４２を第２の位置に位置させるとともに、作動板３を開位置に位置させる。その状態でケーシング４１を収容部２５に所定の装着位置まで挿入すると、突出部４２ｃが貫通孔３１に挿入される。
【００２７】
ケーシング４１の内部には、第１のばね４３及び第２のばね４４が収容されている。第１及び第２のばね４３，４４は、その長手方向をケーシング４１の長手方向と同一方向に向けて配置されている。第１のばね４３は、可動部材４２より室内Ｉ側に配置され、第２のばね４３は、可動部材４２より室外Ｏ側に配置されている。第１のばね４３を可動部材４２より室外側に配置し、第２のばね４４を可動部材４３より室内側に配置してもよい。あるいは、第１及び第２のばね４３，４４を可動部材４２に対して同一側に配置してもよい。この場合、室内Ｉ側と室外Ｏ側とのいずれの側に配置してもよい。
【００２８】
第１のばね４３は、その左端部がケーシング４１に連結され、右端部が可動部材４２に連結されている。そして、第１のばね４３は、可動部材４２をケーシング４１に対し第１の位置から第２の位置へ向かう方向（一方の方向）、つまり図３の左方へ付勢している。一方、第２のばね４４は、その左端部が可動部材４３に連結され、右端部がケーシング４１にピン４５を介して連結されている。そして、第２のばね４４は、可動部材４２をケーシング４１に対し第２の位置から第１の位置へ向かう方向（他方の方向）、つまり図３の右方向へ付勢している。可動部材４２に対する第１のばねの付勢方向と第２のばね４４の付勢方向とは、互いに逆方向である限り、それぞれこの実施の形態と逆方向であってもよい。
【００２９】
第１及び第２のばね４３，４４の可動部材４２に対する付勢方向が互いに逆向きであるから、可動部材４２は、可動部材４２に対する第１のばね４３の付勢力と第２のばね４４の付勢力とが釣り合う位置に移動させられる。ここで、第２のばね４４は、鋼によって構成されている。したがって第２のばね４４の可動部材４２に対する付勢力は、通常の気温の範囲、例えば零下１０°Ｃから５０°Ｃ程度の範囲では一定である。一方、第１のばね４３は、形状記憶合金によって構成されており、上記のような通常の気温の範囲では付勢力が温度の上昇に伴って直線的に増大する。したがって、気温が変化すると、特にこの実施の形態では室内Ｉの気温が変化すると、第１のばね４３の付勢力が変化し、それ対応して可動部材４２が左右方向へ移動させられる。例えば、室温が２０°Ｃのときには、可動部材４２が第１の位置と第２の位置との間のほぼ中央の位置に移動させられ、室温が１０°Ｃ以下になると第１の位置に移動させられ、室温が３０°Ｃ以上になると第２の位置に移動させられる。
【００３０】
なお、第２のばね４４の可動部材４２に対する付勢力は、ピン４５の位置を変えることによって適宜に調節することができる。この換気装置１では、ケーシング４１にピン４５が挿入固定される孔４１ｃが複数形成されており、各孔４１ｃは、ケーシング４１の長手方向に互いに離間して配置されている。したがって、ピン４５が挿入される孔４１ｃを適宜に選択することによって第２のばね４４の可動部材４２に対する付勢力を変えることができる。第２のばね４４の付勢力が変化すると、それに対応して第１及び第２のばね４３，４４の可動部材４２に対する付勢力のバランスが変わる。この結果、可動部材４２が閉位置、中間位置、及び開位置にそれぞれ位置するときの各温度が変化する。
【００３１】
ケーシング４１の室内Ｉに臨む前壁部には、窓孔４１ｄが形成されている。この窓孔４１ｄから室内Ｉの空気がケーシング４１内に流入し、ケーシング４１内が室内Ｉとほぼ同一の温度になる。これにより、第１のばね４３の付勢力を室内Ｉの気温に応じて変化させるようになっている。第１のばね４３の付勢力は、空間Ｓ内の気温に対応して変化させてもよい。その場合には、窓孔４１ｄを塞ぐ一方、端板２２より空間Ｓ側に位置するケーシング４１の壁部に窓孔４１ｄに代わる窓孔を形成し、空間Ｓ内の空気をケーシング４１内に導入すればよい。空間Ｓ内の空気をケーシング４１内に導入する場合には、第１のばね４３を可動部材４２より室外Ｏ側に配置することが望ましい。
【００３２】
可動部材４２の位置が変化すると、それに追随して作動板３の位置が閉位置と開位置との間で変化する。その結果、換気装置１の開度が室温に対応して自動的に変化する。このように換気装置１の開度が室温（気温）に対応して自動的に変化するモードを自動換気モードと称すると、この換気装置１では、自動換気モード以外に固定閉モード（固定換気モード）と固定開モード（固定換気モード）との二つのモードを選択することができる。モードの選択は、次のように手動で行われる。
【００３３】
すなわち、図３〜図７に示すように、ケーシング４１内部の右端部には、ばね受け４６及び操作部材４７が収容されている。ばね受け４６は、ケーシング４１の内面のうちの空間Ｓ側の部分にケーシング４１の長手方向へ摺動可能に押し付けられている。一方、操作部材４７は、空間Ｓ側が開放した筒状の本体部４７ａを有している。この本体部４７ａの内部には、ばね受け４６の室内Ｉ側の端部が左右方向へ移動不能に嵌合している。したがって、操作部材４７とばね受け４６とは、ケーシング４１の長手方向へ一体に移動する。また、本体部４７ａには、ばね受け４６が室内外方向へ摺動可能に嵌合している。したがって、操作部材４７は、ばね受け４６に対し室内外方向へ移動可能である。
【００３４】
可動部材４２の右端部には、長孔４２ｄが形成されている。この長孔４２ｄは、可動部材４２を室内外方向へ貫通しており、ケーシング４１の長手方向に延びている。長孔４２ｄには、操作部材４７の本体部４７ａがケーシング４７の長手方向へ移動可能に挿通されている。
【００３５】
操作部材４７が図３の右方（第１の方向）へ移動して、本体部４７ａが長孔４２ｄの右端部に突き当たると、その後は可動部材４２が操作部材４７と一緒に右方へ移動する。図６に示すように、可動部材４２が第１の位置に達してケーシング４１の右内端面に突き当たると、可動部材４２がそれ以上右方へ移動することができなくなり、操作部材４７も右方へ移動することができなくなる。このときの操作部材４７の位置が固定閉モード位置である。操作部材４７が固定閉モード位置に位置すると、可動部材４２が第１の位置に位置固定され、作動板３が閉位置に位置固定される。この結果、換気装置１が閉状態に維持される。このときの換気装置１のモードが固定閉モードである。
【００３６】
操作部材４７が図３の左方（第２の方向）へ移動して、本体部４７ａが長孔４２ｄの左端部に突き当たると、その後は可動部材４２が操作部材４７と一緒に左方へ移動する。図７に示すように、可動部材４２が第２の位置に達してケーシング４１の左内端面に突き当たると、可動部材４２がそれ以上左方へ移動することができなくなり、操作部材４７も左方へ移動することができなくなる。このときの操作部材４７の位置が固定開モード位置である。操作部材４７が固定開モード位置に位置すると、可動部材４２が第２の位置に位置固定され、作動板が開位置に位置固定される。この結果、換気装置１が開状態に維持される。このときの換気装置１のモードが固定開モードである。
【００３７】
固定閉モード位置と固定開モード位置との間の中央の位置が操作部材４７の自動換気モード位置である。図３に示すように、操作部材４７が自動換気モード位置に位置すると、可動部材４２が操作部材４７に対し長孔４２ｄの長さと本体部４７ａの寸法との差の分だけケーシング４１の長手方向へ移動可能になる。図４に示すように、可動部材４２が右方へ移動して長孔４２ｄの左端面が本体部４７ａに突き当たると、可動部材４２が操作部材４７に対して右方へ移動することができなくなる。このときには、可動部材４２がケーシング４１の右内端面にほぼ突き当たっており、第１の位置に位置している。図５に示すように、可動部材４２が左方へ移動して長孔４２ｄの右端面に突き当たると、可動部材が操作部材４７に対して左方へ移動することができなくなる。このときには、可動部材４２がケーシング４１の右内端面に突き当たっており、第２の位置に位置している。このように、操作部材４７を自動換気モード位置に位置させたときには、可動部材４２が第１の位置と第２の位置との間を移動可能であり、第１及び第２のばね４３，４４により室内Ｉの気温に応じて可動部材４２が第１の位置と第２の位置との間を自動的に移動させられる。すると、作動板３が可動部４２の移動に追随して閉位置と開位置との間を移動する。この結果、換気装置１の開度が閉状態と開状態との間において自動的に調節される。
【００３８】
ケーシング４１の室内Ｉに臨む壁部の右端部には、操作孔４１ｅが形成されている。この操作孔４１ｅには、操作部材４７の本体部４７ａが挿入されている。操作孔４１ｅは、ケーシング４１の長手方向に延びる長孔として形成されており、その長さはケーシング４１の長手方向における本体部４７ａの寸法より長くなっている。したがって、操作部材４７は、操作孔４１ｅ内をケーシング４１の長手方向へ移動可能であり、操作孔４１ｅは、操作部材４７が固定閉モード位置と固定開モード位置との間を移動することを許容するだけの長さを有している。
【００３９】
操作部材４７の本体部４７ａの操作孔４１ｅから室内Ｉに臨む端面には、操作突起４７ｂが形成されている。この操作突起４７を指で摘んで操作部材４７を左右方向へ移動させることができる。
【００４０】
本体部４７ａの左右両側部には、それぞれ左右方向へ突出する腕部４７ｃ，４７ｃが形成されている。各腕部４７ｃは、ばね受け４６と操作部材４７との間に設けられた圧縮コイルばね等の付勢手段４８によってケーシング４１の室内Ｉ側に位置する内面に押し付けられている。腕部４７ｃが押し付けられたケーシング４１の内面には、係合突起４１ｆが形成されている。一方、腕部４７ｃの室内Ｉ側を向く面には、第１、第２及び第３係合凹部４７ｄ，４７ｅ，４７ｆが形成されている。第１、第２及び第３係合凹部４７ｄ，４７ｅは、ケーシング４１の長手方向へ互いに離間して配置されている。
【００４１】
図３に示すように、操作部材４７が自動換気モード位置に位置すると、一対の腕部４７ｃ，４７ｃの第２係合凹部４７ｅ，４７ｅが係合突起４１ｆ，４ｆにそれぞれ係合する。これにより、操作部材４７が自動換気モード位置に位置固定される。係合突起４１ｆ，４ｆと第２係合凹部４７ｅ，４７ｅとの係合による操作部材４７に対する位置固定力は、少なくとも第１のばね４３と第２のばね４４との付勢力の最大差より大きい。したがって、操作部材４７を自動換気モード位置に位置させると、操作部材４７は手動操作しない限り自動換気モード位置から移動することがない。これは、操作部材４７を固定閉モード位置又は固定開モード位置に位置させたときも同様である。
【００４２】
図６に示すように、操作部材４７が固定閉モード位置に位置すると、左側の腕部４７ｃの第３係合凹部４７ｆが係合突起４１ｆに係合するとともに、右側の腕部４７ｃの第１係合凹部４７ｄが係合突起４１ｆに係合する。これによって操作部材４７が固定閉モード位置に維持される。図７に示すように、操作部材４７が固定開モード位置に位置すると、左側の腕部４７ｃの第１係合凹部４７ｄが係合突起４１ｆと係合するとともに、右側の腕部４７ｃの第３係合凹部４７ｆが係合突起４１ｆと係合する。これによって操作部材４７が固定開モード位置に維持される。
【００４３】
操作突起４７ｂを室外Ｏ側に押して操作部材４７をばね受け４６に突き当たるまで付勢手段４８の付勢力に抗して室外Ｏ側に移動させと、第１、第２又は第３係合凹部４７ｄ，４７ｅ，４７ｆと係合突起４１ｆとの係合が解除する。その状態を維持しつつ操作部材４７を左右方向へ移動させることにより、操作部材４７を自動換気モード位置、固定閉モード位置又は固定開モード位置に移動させることができる。
【００４４】
装置本体２の開口部２１ｃには、フィルタユニット５が着脱可能に設けられている。フィルタユニット５は、支持体５１及びフィルタ５２を有している。支持体５１は、金属製又は硬質樹脂製の板体からなるものであり、装置本体２の開口部２１ｃに着脱可能に取り付けられている。しかも、支持体５１は、開口部２１ｃのうちの制御ユニット４が設けられた右端部を除く全ての部分を覆うのみならず、制御ユニット４のケーシング４１の窓孔４１ｄが形成された部分を覆っている。支持体５１には、多数の貫通孔５１ａが形成されている。貫通孔５１ａは、上下に長い長孔として形成されており、支持体５１の長手方向へ所定間隔毎に配置されている。支持体５１が開口部２１ｃを覆っているので、換気時には空気が必ず貫通孔５１ａを通過する。
【００４５】
支持体５１の室外Ｏ側を向く面には、フィルタ５２が着脱可能に取り付けられている。フィルタ５２は、全ての貫通孔５１ａを覆っている。したがって、室外Ｏの塵埃等が室内Ｉに入り込むことを防止することができる。また、支持体５１及びフィルタ５２は、ケーシング４１のうちの窓孔４１ｄが形成された部分をも覆っている。これにより、第１のばね４３が室内Ｉから貫通孔５１ａ及び窓孔４１ｄを介して目視されることが防止されている。
【００４６】
上記構成の換気装置１において、例えば形状記憶合金からなる第１のばね４３が経時的に劣化して交換が必要な場合には、まずフィルタユニット５を装置本体２から取り外す。その後、制御ユニット４を装置本体２から室内Ｉ側に抜き出す。抜き出した制御ユニット４は、新たな制御ユニット４と交換する。あるいは、制御ユニット４を装置本体２から取り外した後、ケーシング４１を構成している二つの部材を互いに分離させてケーシング４１を分解する。そして、第１のばね４３を新たな第１のばね４３と交換する。その後、ケーシング４１の二つの部材を組み付けて固定し、新たな制御ユニット４を構成する。いずれにしても、取り出した制御ユニット４を新たな制御ユニット４と交換し、その新たな制御ユニット４を装置本体２の収容部２５に室内Ｉから挿入する。このとき、装置本体２の長手方向（ケーシング４１の長手方向）における作動板３の位置と可動部材４２の位置とを互いに対応した位置にすることにより、制御ユニット４の収容部２５への装着と同時に可動部材４２を作動板３に連結することができる。その後、フィルタユニット５を装置本体４に取り付けることにより、第１のばね４３の交換が終了する。このような作業は、第２のばね４４又は操作部材４７等の交換が必要になった場合も同様である。
【００４７】
このように、制御ユニット４を装置本体２の収容部２５に装着するのと同時に可動部材４２を作動板３に連結することができるから、可動部材４２並びにそれに関連する構成部材であって、他の構成部材に比して短期間に交換を必要とする第１、第２のばね４３，４４及び操作部材４７をケーシング４１内に組み込んでユニット化することが可能になった。その結果、換気装置１の保守、点検の際には、制御ユニット４を装置本体２から取り外して制御ユニット４を新たな制御ユニット４と交換するだけで済み、装置本体２を家屋の側壁Ｗから取り外したり、分解したりする必要が全くない。特に、制御ユニット４全体を新たな制御ユニット４と交換する場合には、ケーシング４１を分解、組立する必要もない。したがって、換気装置１の補修、点検に要する手間を大幅に軽減することができる。
【００４８】
また、ケーシング４１の内部が窓孔４１ｄを介して室内Ｉに連通しているだけであり、室外Ｏに対して遮断されているから、ケーシング４１内には、室内Ｉの空気が入り込むだけであり、室外Ｏの空気が入り込むことがない。したがって、第１のばね４３の付勢力は、室外Ｏの気温に影響されることがなく、室内Ｉの温度だけに依存する。よって、自動換気モードにおいては、換気装置１の開度を室内Ｉの温度に対応して正確に調節することができる。これは、ケーシング４１の内部を室外Ｏにだけ連通させ、室内Ｉに対して遮断する場合も同様であり、その場合には換気装置１の開度を室外Ｉの温度だけに対応して正確に調節することができる。
【００４９】
図１６〜図２１は、この発明に係る換気装置の第２実施の形態を示す。この実施の形態の換気装置１Ａにおいては、作動板３に代えて作動板３Ａが用いられている。作動板３Ａは、左右方向へ移動するのみならず、回転することによって内側換気孔２１ｅを開閉し、ひいては換気通路２４を開閉するようになっている。
【００５０】
すなわち、作動板３Ａは、上記実施の形態の貫通孔３１を有しておらず、作動板３Ａ全体が装置本体２の長手方向に連続した平板として形成されている。作動板３Ａは、隔壁２１ｄに対し空間Ｓ（室外Ｏ）側に配置されている。作動板３Ａの上端部は、隔壁２１ｄの上端部にほぼ接触するように配置されており、装置本体２にその長手方向に延びる軸線を中心として回転可能に支持されている。作動板３Ａは、図１７に示す第１回転位置と図１８に示す第２回転位置との間を回転可能である。
【００５１】
作動板３Ａの下端部は、装置本体２に固定されたカム部材６に係合されている。カム部材６は、作動板３Ａが図１６〜図１８において右方へ移動すると、作動板３Ａの下端部を隔壁２１ｄに接近するように移動させ、作動板３Ａを図１９〜図２１において反時計方向は回転させる。また、カム部材６は、作動板３Ａが図１６〜図１８において左方へ移動すると、作動板３Ａの下端部を隔壁２１ｄから離間するように移動させ、作動板３Ａを図１９〜図２１において時計方向へ回転させる。
【００５２】
いま、操作部材４７が自動換気モード位置に位置しているものとする、このときには、可動部材４２が図１７に示す第１の位置と図１８に示す第２の位置との間を移動可能であり、可動部材４２に左右方向へ移動不能に連結された作動板３Ａが図１７に示す第１移動位置と図１８に示す第２移動位置との間を移動可能である。
【００５３】
可動部材４２が図１６〜図１８において右方へ移動すると、それに追随して作動板３Ａが右方へ移動する。すると、カム部材６により、作動板３Ａの下端部が隔壁２１ｄに接近するように、作動板３Ａが回転させられる。作動板３Ａが図１７に示す第１移動位置に達すると、作動板３Ａが隔壁２ｄに接触させられる。このときの作動板Ａの回転位置が第１回転位置である。作動板３Ａが第１回転位置に回転すると、隔壁２ｄに接触した作動板３Ａが、内側換気孔２１ｅを閉じる。これによって、換気通路２４が閉じられ、換気装置１Ａが閉状態になる。これから明らかなように、作動板３Ａが第１移動位置に移動するとともに、第１回転位置に位置したときの作動板３Ａの位置が閉位置である。
【００５４】
可動部材４２が図１６〜図１８において左方へ移動すると、それに追随して作動板３Ａが左方へ移動する。すると、カム部材６により、作動板３Ａの下端部が隔壁２１ｄから離間するように、作動板３Ａが回転させられる。作動板３Ａが図１８に示す第２移動位置に達すると、作動板３Ａがその上端部を除いて隔壁２ｄから大きく離間するので、内側換気孔２１ｅが開かれ、換気通路２４が開かれる。これによって、換気装置１Ａが開状態になる。このときの作動板３Ａの回転位置が第２回転位置である。作動板３Ａが第２移動位置に移動し、かつ第２回転位置に回転したときの作動板３Ａの位置が開位置である。
【００５５】
なお、室内Ｉの気温が所定の範囲内の温度であるときには、作動板３Ａが閉位置と開位置との間を変位する。つまり、作動板３Ａ全体が左右方向へ移動するとともに、作動板３Ａがその上端部を中心として回転する。これにより、換気通路２４の開度が調節され、ひいては換気装置１Ａの開度が調節される。
【００５６】
操作部材４７を固定閉モード位置に移動させると、作動板３Ａが操作部材４７により可動部材４２を介して第１移動位置に移動させられるとともに、カム部材６によって第１回転位置に回転させられる。これにより、換気装置１Ａが閉状態に維持される。操作部材４７を固定開モード位置に移動させると、作動板３Ａが操作部材４７により可動部材４２を介して第２移動位置に移動させられるとともに、カム部材６によって第２回転位置に回転させられる。これにより、換気装置１Ａが開状態に維持される。
【００５７】
作動板３Ａが隔壁２１ｄより空間Ｓ側に配置されているため、可動部材４２の突出部４２ｃは、隔壁２１ｄを左右方向へ所定の長さだけ移動可能に貫通している。すなわち、可動部材４２が第１の位置と第２の位置との間を移動することを許容するだけの長さをもって移動可能に貫通している。また、作動板３Ａが隔壁２１ｄから離間するように回転したとき、可動部材４２の突出部４２ｃが作動板３Ａから外れないよう、突出部４２ｃの突出長さが定められている。
【００５８】
また、換気装置１Ａにおいては、可動部材４２が第１の位置に位置しているときに、可動部材４２がケーシング４１の右内端面から離間し、可動部材４２が第２の位置に位置しているときには、段部４２ａがケーシング４１の左内端面から離間しているが、上記の実施の形態と同様に、それぞれケーシング４１の右内端面及び左内端面に突き当てるようにしてもよい。その他の構成は、上記実施の形態と同様である。
【００５９】
なお、この発明は、上記の実施の形態に限定されるものでなく、その要旨を逸脱しない範囲において適宜変更可能である。
例えば、上記の実施の形態においては、可動部材４２を作動板３，３Ａに直接連結させているが、可動部材４２は、作動板３，３Ａに揺動リンク等を介して連結してもよい。その場合には、制御ユニット４を装置本体２に装着するとき、可動部材４２を揺動リンクに対して室内Ｉ側から着脱可能に係合させることになる。
また、可動部材４２に突出部４２ｃを形成し、この突出部４２ｃを作動板３，３Ａの貫通孔３１に係合させているが、可動部材４２に凹部又は孔を形成する一方、作動板３，３Ａにその凹部又は孔に室内外方向へ挿脱可能に係合する突出部を形成してもよい。
さらに、上記の実施の形態においては、操作部材４７が固定換気モード位置として固定閉モード位置と固定開モード位置との二つの位置に位置することが可能であるが、操作部材４７は、固定閉モード位置と固定開モード位置とのいずれか一方の位置にだけ位置するものであってもよい。
【符号の説明】
【００６０】
Ｉ    室内
Ｏ    室外
１    換気装置
１Ａ    換気装置
２    装置本体
３    作動板（作動部材）
３Ａ    作動板（作動部材）
４    制御ユニット
２４    換気通路
２５    収容部
４１    ケーシング
４２    可動部材
４２ｂ    可動部材の左端部（ケーシングから突出した可動部材の一部）
４３    第１のばね
４４    第２のばね
４７    操作部材
【図１】
0005751930.tif 000002
【図２】
0005751930.tif 000003
【図３】
0005751930.tif 000004
【図４】
0005751930.tif 000005
【図５】
0005751930.tif 000006
【図６】
0005751930.tif 000007
【図７】
0005751930.tif 000008
【図８】
0005751930.tif 000009
【図９】
0005751930.tif 000010
【図１０】
0005751930.tif 000011
【図１１】
0005751930.tif 000012
【図１２】
0005751930.tif 000013
【図１３】
0005751930.tif 000014
【図１４】
0005751930.tif 000015
【図１５】
0005751930.tif 000016
【図１６】
0005751930.tif 000017
【図１７】
0005751930.tif 000018
【図１８】
0005751930.tif 000019
【図１９】
0005751930.tif 000020
【図２０】
0005751930.tif 000021
【図２１】
0005751930.tif 000022